(57)【要約】【課題】  ユーザを制限するためのセキュリティ機構を有する個人向け制御デバイスを提供する。【解決手段】  制御ユニット１と、制御ユニット１にインストールされ、ユーザの識別情報を、ユーザが提供可能とするための入力ユニット１２と、制御ユニット１に取り付けられ、ユーザの識別条件および利用制限を、ユーザが設定可能とするためのセットアップユニット２とを有する。【選択図】            図１
2006099464.tif 000002
【特許請求の範囲】
【請求項１】
セキュリティ機構を有する個人向けデバイスであって、
入力ユニットを有する制御ユニット、
ユーザの識別特性と、ユーザの識別特性に応じたユーザの利用制限とを入力するためのセットアップユニット、および、
ユーザを識別するための識別ユニット
を有することを特徴とするデバイス。
【請求項２】
前記セットアップユニットは、ユーザの同一性を、ユーザが入力および保存することを許可することを特徴とする請求項１に記載の個人向けデバイス。
【請求項３】
前記識別特性は、指紋、声紋あるいは網膜を含んでいることを特徴とする請求項１に記載の個人向けデバイス。
【請求項４】
前記利用制限は、起動ステータス、許可チャンネル、許可操作時間、許可プログラム、および、許可ネットワークを含んでいることを特徴とする請求項１に記載の個人向けデバイス。
【請求項５】
前記識別ユニットは、指紋、声紋あるいは網膜を識別するための識別デバイスを有することを特徴とする請求項１に記載の個人向けデバイス。
【請求項６】
前記制御ユニットは、リモートコントロール装置あるいは電源投入コントロール装置を有することを特徴とする請求項１に記載の個人向けデバイス。
【請求項７】
前記制御ユニットは、制御ボックスおよび入力ユニットを有し、前記制御ボックスは、前記セットアップユニットと、タイマと、汎用コードを有する制御回路とがインストールされており、前記入力ユニットは、複数のコントロールキーを有し、前記制御ボックスの表面に設けられていることを特徴とする請求項１に記載の個人向けデバイス。
【請求項８】
セキュリティ機構を有する個人向け制御デバイスであって、
制御ユニットと、
前記制御ユニットにインストールされ、ユーザの識別情報をユーザが提供可能とするための入力ユニットと、
前記制御ユニットに取り付けられ、ユーザの識別条件および利用制限をユーザが設定可能とするためのセットアップユニットと
を有することを特徴とする個人向け制御デバイス。
【請求項９】
前記セットアップユニットは、前記入力ユニットを介して、ユーザが識別条件を入力し得ることを特徴とする請求項８に記載の個人向け制御デバイス。
【請求項１０】
前記識別条件は、パスワードを含んでいることを特徴とする請求項８に記載の個人向け制御デバイス。
【請求項１１】
前記入力ユニットは、複数のコントロールキーを含んでいることを特徴とする請求項８に記載の個人向け制御デバイス。
【請求項１２】
前記制御ユニットは、制御ボックスを有し、前記制御ボックスは、前記セットアップユニットと、タイマと、汎用コードを有する制御回路とがインストールされており、前記入力ユニットは、前記制御ボックスの表面にインストールされていることを特徴とする請求項８に記載の個人向け制御デバイス。
【発明の詳細な説明】
【技術分野】
【０００１】
本発明は、一般的に、セキュリティ機構を有する個人向け制御デバイスに関する。
【背景技術】
【０００２】
本発明は、より詳しくは、セキュリティ機構を有するリモートコントロール装置あるいは起動デバイスと、識別ユニットとを組み合わせた個人向けデバイスに関し、制御下にあるデバイスが特定の識別特性を有するユーザあるいは特定の年齢のユーザのみによって利用されることを可能とする。
【０００３】
情報技術の発展および研究調査は、多様なメディアを経由して、情報が容易に得ることが可能なステージに到達している。例えば、テレビチャンネルの連続的増加は、全てのタイプのプログラム（番組）を提供し、コンピュータおよびネットワークは、世界中のウェブサイトを、即座に接続する。
【発明の開示】
【発明が解決しようとする課題】
【０００４】
しかし、情報技術の急速な発展および情報検索の利便性の結果として、例えば、暴力や流血やポルノの情報を簡単にアクセスできる問題を引き起こす。この種のコンテンツは、成人のみに影響を及ぼすだけでなく、青少年や若い子供にすら非常に大きな衝撃を引起こす。さらに悪いことには、この種のコンテンツは、 多くの場合、最もポピュラーな情報であり、多様なメディアにおいてアクセスされる。したがって、この種のコンテンツにアクセスするユーザを制限するためのセキュリティコードまたは識別プロセスを提供することは、非常に必要である。
【０００５】
本発明は、上記従来技術に伴う課題を解決するためになされたものであり、ユーザを制限するためのセキュリティ機構を有する個人向けデバイスおよび個人向け制御デバイスを提供することを目的とする。
【課題を解決するための手段】
【０００６】
上記目的を達成するための請求項１に記載の発明は、
セキュリティ機構を有する個人向けデバイスであって、
入力ユニットを有する制御ユニット、
ユーザの識別特性と、ユーザの識別特性に応じたユーザの利用制限とを入力するためのセットアップユニット、および、
ユーザを識別するための識別ユニット
を有することを特徴とするデバイスである。
【０００７】
上記目的を達成するための請求項８に記載の発明は、
セキュリティ機構を有する個人向け制御デバイスであって、
制御ユニットと、
前記制御ユニットにインストールされ、ユーザの識別情報をユーザが提供可能とするための入力ユニットと、
前記制御ユニットに取り付けられ、ユーザの識別条件および利用制限をユーザが設定可能とするためのセットアップユニットと
を有することを特徴とする個人向け制御デバイスである。
【発明の効果】
【０００８】
上記のように構成した本発明によれば、セキュリティ機構を有する個人向けデバイスおよび個人向け制御デバイスが提供される。そして、ユーザの識別条件および利用制限（例えば、起動ステータス、許可チャンネル、許可操作時間、許可プログラム、許可ネットワークなど）が設定されるため、識別条件と一致する識別特性を有するユーザのみが、デバイスを起動させることが可能である。加えて、デバイスが一旦起動させられると、当該デバイスの操作モードは、ユーザの識別特性によって、さらに制限される。つまり、ユーザを制限するためのセキュリティ機構を有する個人向けデバイスおよび個人向け制御デバイスを提供することができる。
【発明を実施するための最良の形態】
【０００９】
本発明に係る上記の目的および利点は、添付される図面を参照しつつ、本発明の実施の形態を詳細に説明することにより、より明瞭となるだろう。
【００１０】
図１は、本発明の実施に形態に係る個人向け制御デバイスのブロック図、図２は、個人向け制御デバイスの構造を説明するための平面図である。図１に示されるように、個人向け制御デバイスは、制御ユニット１、ユーザが使用条件および範囲を設定可能とするためのセットアップユニット２、およびユーザ条件および利用条件を識別するための識別ユニット３とを有する。
【００１１】
制御ユニット１は、図２に示されるように、制御されるデバイス（例えば、テレビ、コンピュータあるいは他の通信装置などの多様な家庭電化製品を含む）に命令またはコマンドを与えるための手段を提供する。制御ユニット１は、制御ボックス１１を有する。制御ボックス１１は、セットアップユニット２、計時ユニット（タイマ）および回路メカニズムを有する。回路メカニズムは、例えば、汎用コード（図示せず）を有する制御回路である。
【００１２】
制御ボックス１１は、表面に配置される入力ユニット１２を有する。本実施の形態において、入力ユニット１２は、複数のコントロールキー１３を有しており、ユーザは、識別条件を入力することで、動作指令を指示することが可能である。制御ユニット１は、電源のオンおよびオフ状態を制御するためのリモートコントロール装置あるいは起動（電源投入）コントロール装置によって、使用可能である。
【００１３】
実施の形態の一例においては、識別ユニット３は、制御ユニット１の表面に配置することができる。識別ユニット３は、ユーザの特性（指紋、声紋および網膜を含む）を識別するために使用される。
【００１４】
セットアップユニット２は、制御ユニット１の入力ユニット１２を使用して、ユーザの使用条件および識別情報をユーザが入力することを可能とする。また、セットアップユニット２は、識別ユニット３と組み合わせて利用することで、使用されるデバイスの起動ステータス、選択されるチャンネル、デバイスのアプリケーション時間、あるいは、視聴されるプログラムを、所望どおり制限することが可能である。また、設定条件は、制御ユニット１のメモリユニットに、格納することが可能である。
【００１５】
識別ユニット３は、入力条件と設定条件とを比較し、ユーザを識別するために使用される。ユーザの識別情報が、セットアップユニット２によって予め設定された条件と、一致する場合のみ、デバイスは、起動可能であり、したがって、ユーザは、デバイスを操作することができる。
【００１６】
多くのアプリケーションにおいて、識別ユニット３は、指紋のようなユーザ特性を識別することに、限定されない。また、声紋あるいはパスワードのような他の特性も、デバイスを起動させるか否かを決定するための識別条件として、入力可能である。
【００１７】
このように、制御ユニット１、セットアップユニット２および識別ユニット３は、セキュリティ機構を有する個人向け制御デバイスを構成しており、デバイスのアクセス、特に、情報デバイス（例えば、テレビまたはコンピュータネットワーク）のアクセスを制限することが可能である。
【００１８】
図３は、個人向け制御デバイスのセットアップ制御モードにおける操作プロセスを説明するためのフローチャート、図４は、個人向け制御デバイスの識別モードにおける操作プロセスを説明するためのフローチャートである。
【００１９】
個人向け制御デバイスの操作プロセスは、図３および図４に示されるように、セットアップ制御モードおよびオペレーション制御モードに分割可能である。
【００２０】
セットアップ制御モードにおいて、セットアップユニット２は、ユーザの利用制限および識別特性を、設定するために使用される。図３に示されるように、制御ユニット１の設定機能は、ステップ５００において呼び出される。そして、許可ユーザの識別は、ステップ５０２におけるセットアップユニット２を介して入力される。パスワードが識別のために使用される場合、選択されたパスワードは、入力ユニット１２のコントロールキー１３を介して入力される。そして、入力されたパスワードは、制御デバイスのメモリに格納される。ユーザの指紋、声紋あるいは網膜が入力され、識別のために使用される場合、指紋、声紋あるいは網膜は、スキャンあるいはメモリに記録される。
【００２１】
識別条件が制御デバイスに入力される場合、デバイスの利用制限は、ステップ５０４において設定される。操作機能（例えば、起動ステータス、アクセス可能なチャンネル、アプリケーション時間、視聴が許可されるプログラム、およびアクセス可能なネットワークを含む）は、このステップにおいて設定される。また、利用制限は、メモリに格納され、したがって、識別条件および利用制限のための設定プロセスは、ステップ５０６において完了する。
【００２２】
図４に示されるように、ユーザがデバイス１を使用することを意図する場合、ユーザの識別情報は、最初に入力されることが必要である。パスワードが識別のために使用される場合、ユーザは、コントロールキー１３を介して予め設定したパスワードを入力しなければならない。識別情報が、個人特性（例えば、指紋、声紋あるいは網膜など）を必要とする場合、個人（ユーザ）特性は、スキャンされ、ステップ６００においてデバイスに入力される。
【００２３】
そして、入力された識別情報は、ステップ６０２においてメモリに格納されている識別情報と比較される。入力された識別情報が、メモリに格納されている識別情報と一致する場合、デバイスは、ステップ６０４において起動可能となる。一方、一致しない場合、リクエストが拒否、あるいは識別情報の再入力が要求される。
【００２４】
利用制限は、異なる条件のユーザ、例えば、異なる年齢のユーザが、異なるモード下においてデバイスを制御することを可能とする。例えば、特定の年齢の子供は、デバイスを起動可能であるが、しかし、特定のチャンネルあるいはウェブサイトのみにアクセス可能とすることができる。
【００２５】
以上のように、本発明によれば、セキュリティ機構を有する個人向けデバイスおよび個人向け制御デバイスが提供される。そして、ユーザの識別条件および利用制限（例えば、起動ステータス、許可チャンネル、許可操作時間、許可プログラム、許可ネットワークなど）が設定されるため、識別条件と一致する識別特性を有するユーザのみが、デバイスを起動させることが可能である。加えて、デバイスが一旦起動させられると、当該デバイスの操作モードは、ユーザの識別特性によって、さらに制限される。つまり、ユーザを制限するためのセキュリティ機構を有する個人向けデバイスおよび個人向け制御デバイスを提供することができる。
【００２６】
なお、本発明は、好ましい実施の形態を参照し、特に図示および説明してきたが、特許請求の範囲の趣旨および範囲から逸脱することなく、形態および細部に関し、多様な変更が実施可能であることは、当業者にとっては、理解されるだろう。つまり、本発明は、上述した実施の形態に限定されるものではなく、特許請求の範囲の範囲内で種々改変することができる。
【図面の簡単な説明】
【００２７】
【図１】本発明の実施に形態に係る個人向け制御デバイスのブロック図である。
【図２】個人向け制御デバイスの構造を説明するための平面図である。
【図３】個人向け制御デバイスのセットアップ制御モードにおける操作プロセスを説明するためのフローチャートである。
【図４】個人向け制御デバイスの識別モードにおける操作プロセスを説明するためのフローチャートである。
【符号の説明】
【００２８】
１・・制御ユニット、
２・・セットアップユニット、
３・・識別ユニット、
１１・・制御ボックス、
１２・・入力ユニット、
１３・・コントロールキー。
【図１】
2006099464.tif 000003
【図２】
2006099464.tif 000004
【図３】
2006099464.tif 000005
【図４】
2006099464.tif 000006